(57)【特許請求の範囲】
【請求項１】
ネットワークにより接続したサーバと端末装置を備え、問題に対する解答と添削を行う通信添削システムであって、
微小な点を格子を崩した形で印刷することにより、前記微小な点の配置パターンが紙面上の位置により異なる第１の問題用紙、第２の問題用紙と、
前記第１の問題用紙への筆記の際に、解答データを取得する第１のデジタルペンと、前記第１のデジタルペンが取得した解答データをデータ制御手段に送信する第１の通信手段と、
前記データ制御手段を介して取得した解答データを前記第２の問題用紙に印字する解答印字手段と、前記第２の問題用紙への筆記の際に、添削データを取得する第２のデジタルペンと、前記第２のデジタルペンが取得した添削データを前記データ制御手段に送信する第２の通信手段と、
前記データ制御手段により前記解答データおよび前記添削データを合成することにより得られた添削結果データを表示する添削結果表示手段と、を備えており、
前記データ制御手段は、前記第１の通信手段が送信した解答データ、および前記第２の通信手段が送信した添削データを受信する受信手段と、前記第１の通信手段から受信した解答データの所在を所定の添削者へ通知する解答通知手段と、前記第１の通信手段から受信した解答データ、および前記第２の通信手段から受信した添削データを関連付けて記録するデータベースと、前記データベースに記録した前記解答データと前記添削データを、各々のデータを異なる色に設定して合成して表示可能な添削結果データを生成する添削結果データ生成手段を有するものであり、
前記第１のデジタルペン、および第２のデジタルペンが、当該問題用紙に目視可能な筆跡を残す筆記部と、当該デジタルペンによる筆記個所の当該問題用紙に印刷された微小な点を認識する読み取り部と、前記読み取り部により読み取られた各回の微小な点の配列パターンを比較して解答データまたは添削データに変換するプロセッサと、前記解答データまたは添削データを保持するメモリと、前記メモリに保持している解答データまたは添削データを送出する無線通信手段を有するものであることを特徴とする通信添削システム。
【請求項２】
請求項１記載の通信添削システムであって、
前記解答データまたは添削データは、前記配列パターンを比較して得られたベクトルデータであることを特徴とする通信添削システム。
【請求項３】
請求項１または２記載の通信添削システムであって、
前記第１の問題用紙および前記第２の問題用紙が、さらに前記データ制御手段との通信を制御する通信指示領域を備え、
前記第１のデジタルペン、および第２のデジタルペンが有するプロセッサが、前記通信指示領域の配列パターンを認識した場合に、前記無線通信手段が解答データまたは添削データを送出することを特徴とする通信添削システム。
【請求項４】
請求項１から３のいずれかに記載の通信添削システムであって、
前記添削結果表示手段が、インターネットを介して、前記添削結果データをＷｅｂブラウザの画面上に表示する、ことを特徴とする通信添削システム。
【請求項５】
請求項１から４のいずれかに記載の通信添削システムであって、前記添削結果表示手段が、前記添削結果データを表示する際に、前記添削結果データ生成手段が前記解答データおよび前記添削済みデータに設定した異なる色を識別可能な形態で表示する、
ことを特徴とする通信添削システム。
【請求項６】
コンピュータを、請求項１から５記載の通信添削システムとして動作させるためのプログラム。
【請求項７】
コンピュータを、請求項１から５記載の通信添削システムとして動作させるためのプログラムを記録したコンピュータ読み取り可能な記録媒体。
【発明の詳細な説明】
【０００１】
【発明の属する技術分野】
本発明は、通信添削指導を実施する通信教育業において、問題を受講者へ配布し、受講者による解答、添削者による添削を経て、最終的に結果を受講者に提示する通信添削システムに関するものである。
【０００２】
【従来の技術】
従来、問題を受講者に配布し、受講者による解答、添削者による添削を経て、最終的に結果を受講生に提示する通信教育においては、郵送という手段が一般的である。
【０００３】
すなわち、通信教育業者から受講者へ問題用紙や添削結果を送付する、あるいは、受講者が解答を記入した問題用紙を通信教育業者に提出する、などの通信教育業者と受講生間のやり取りは、郵送により行われる。
【０００４】
また、通信教育業者から添削者への解答済み問題の送付や、添削者が添削が終了した問題用紙の通信教育業者に提出も、やはり郵送で行われる。
【０００５】
しかしながら、従来においては、以下の問題がある。すなわち、受講者、添削者、通信教育業者の間において、主として郵送という手段を用いるため、問題の配布から最終的な結果を受講者に返却するまでに長い期間が必要であり、コスト高である。
【０００６】
係る問題を解決するために、例えば、特開２００１−３０５９４３号公報、特開２００２−６７３０号公報などのように、コンピュータシステムを用いて通信により問題を配布し、画面上で解答および添削を行うな通信添削の支援システムが提案されている。
【０００７】
しかしながら、コンピュータシステムを用いて通信により問題を配布し、画面上で解答および添削を行う方法においては、通信により問題配布から最終的な結果の返却までの時間を短縮し、郵送を使わずにコストを低下させることが可能であるが、実際の問題の解答を考えたり、添削する以外に、それらをデータとして入力する余分な手間が必要である。
【０００８】
また、このような支援システムの場合、例えば、記号や文章を選択することにより、解答やコメントを入力し、係る入力の手間を減らす工夫をすることが多いが、論文、証明、解答を導くまでの過程自体を見る、などの記入量が多く、記入する内容自体に意味があるような設問や、親身な細かいコメントができないという問題がある。
【０００９】
【発明が解決しようとする課題】
本発明は上述の課題に鑑みてなされたものであり、その目的とするところは、スピーディで効率的でありながら、従来と同様に、様々な形式の設問、解答、添削が可能であり、解答および添削を入力する負荷がない通信添削システムを提供することである。
【００１０】
【課題を解決するための手段】
上記目的を達成するために、本発明の第１の態様は、ネットワークにより接続したサーバと端末装置を備え、問題に対する解答と添削を行う通信添削システムであって、予め受講者に送付した第１の問題用紙と、前記第１の問題用紙に対して記入した設問への解答を解答データに変換して送信する解答手段と、予め添削者に送付した第２の問題用紙と、前記解答データを前記第２の問題用紙に印字し添削者が第２の問題用紙に記述した添削内容を添削データとして送信する添削手段と、前記解答データおよび前記添削データを関連付けて記録し解答者または添削者との間において当該データの伝送を行うデータ制御手段と、前記解答データおよび前記添削データを合成した添削結果データを表示する添削結果表示手段とを設けたものである。
【００１１】
本発明の第２の態様は、上述の第１の態様に係る通信添削システムにおいて、前記第１の問題用紙および前記第２の問題用紙に、予め問題用紙の全面に印刷した微小な点と、前記データ制御手段との通信を制御する通信指示領域とを設けたものである。
【００１２】
本発明の第３の態様は、上述の第１または第２の態様に係る通信添削システムにおいて、前記解答手段に、前記第１の問題用紙に解答を記入し記入した解答を解答データとして保持する第１のデジタルペンと、前記第１のデジタルペンが保持する解答データを前記データ制御手段に送信し、前記データ制御手段から以降の指示を受信する第１の通信手段とを設けたものである。
【００１３】
本発明の第４の態様は、上述の第１から第３の態様に係る通信添削システムにおいて、前記添削手段に、前記第２の問題用紙に対して前記解答データを印字する解答印字手段と、前記第２の問題用紙を添削し添削した内容を添削データとして保持する第２のデジタルペンと、前記第２のデジタルペンが保持する添削データを前記データ制御手段に送信し前記データ制御手段から以降の指示を受信する第２の通信手段とを設けたものである。
【００１４】
本発明の第５の態様は、上述の第１から第４の態様に係る通信添削システムにおいて、前記第１のデジタルペンおよび第２のデジタルペンに、当該問題用紙に目視可能な筆跡を残す筆記部と、当該デジタルペンによる筆記個所の当該問題用紙上の位置および筆記内容を読み取る読み取り部と、前記読み取った筆記位置および筆記内容をデータに変換するプロセッサと、前記データを前記通信指示領域により指示があるまでの間保持するメモリと、前記通信指示領域による指示および前記データ制御手段からの指示に基づいて前記メモリに保持しているデータを送出する無線通信手段とを設けたものである。
【００１５】
本発明の第６の態様は、上述の第１から第５の態様に係る通信添削システムにおいて、前記データ制御手段に、前記第１の通信手段が送信した解答データおよび前記第２の通信手段が送信した添削データを受信する受信手段と、前記第１の通信手段から受信した解答データの所在を所定の添削者へ通知する解答通知手段と、前記第１の通信手段から受信した解答データおよび前記第２の通信手段から受信した添削データを関連付けて記録する第１のデータベースと、前記第１のデータベースに記録した前記解答データと前記添削データを合成して表示可能な添削結果データを生成する添削結果データ生成手段と、前記添削結果データの所在を当該受講者へ通知する添削結果通知手段とを設けたものである。
【００１６】
本発明の第７の態様は、上述の第１から第６の態様に係る通信添削システムにおいて、前記添削結果表示手段が、インターネットを介して、前記添削結果データをＷｅｂブラウザの画面上に表示するように構成したものである。
【００１７】
本発明の第８の態様は、上述の第１から第７の態様に係る通信添削システムにおいて、前記データ制御手段に、前記第１の問題用紙および第２の問題用紙に印刷した微小点を把握しており、前記第１の通信手段または第２の通信手段から受信した特定の配列パターンの位置を判断して、次の機能を提供するコンピュータシステムをデジタルペンに通知する認定手段を設けたものである。
【００１８】
本発明の第９の態様は、上述の第１から第８の態様に係る通信添削システムにおいて、前記添削結果データ生成手段が、前記解答データと前記添削データを識別可能なように各々のデータを異なる色に設定して添削結果データを生成するように構成したものである。
【００１９】
本発明の第１０の態様は、上述の第１から第９の態様に係る通信添削システムにおいて、前記添削結果表示手段が、前記添削結果データを表示する際に、前記添削結果データ生成手段が前記解答データおよび前記添削済みデータに設定した異なる色を識別可能な形態で表示するように構成したものである。
【００２０】
本発明の第１１の態様は、コンピュータを、上述の第１から第１０の態様に係る通信添削システムとして動作させるためのプログラムを提供するようにしたものである。
【００２１】
本発明の第１２の態様は、コンピュータを、上述の第１から第１０の態様に係る通信添削システムとして動作させるためのプログラムをコンピュータ読み取り可能な記録媒体に記録して提供するようにしたものである。
【００２２】
【発明の実施の形態】
以下、本発明を図示する実施形態に基づいて説明する。
図１は、本発明の通信添削システム１の一実施例を示す構成図である。通信添削システム１は、第１の問題用紙２と、第２の問題用紙３と、解答手段４と、添削手段５と、データ制御手段６と、添削結果表示手段７とを備え、ネットワーク８を介して相互に通信可能になっている。
【００２３】
図２は、第１の問題用紙２の紙面の一部の拡大図である。第１の問題用紙２と第２の問題用紙３は、基本的には同じ構造であるため、第１の問題用紙２についてのみ説明する。
【００２４】
第１の問題用紙２は、炭素入りインキを用いて、一般の用紙に０．３ｍｍ程度の間隔で微小点９を予め印刷したものである。この微小点９は、微妙に格子を崩した形で配置されており、当該微小点９を印刷した全ての用紙において、２ｍｍ角程度の特定領域の微小点９の配列パターンは一意になっている。したがって、微小点９の配列パターンを認識することにより、用紙上の位置が認識可能なものである。
【００２５】
また、第１の問題用紙２には、データの送信を指示可能な通信指示領域１０が印刷されている。通信指示領域１０は、微小点９の特定の配列パターンを用いることにより、「所定のデータ制御手段６に対してデータを送信する」という通信の指示機能を持たせたものである。
【００２６】
解答手段４および添削手段５は、図３に示すような通常の筆記および筆記内容のデジタイズが可能なデジタルペン１１を各々備えている。
【００２７】
デジタルペン１１は、筆記部１２、読み取り部１３、プロセッサ１４、メモリ１５、無線通信手段１６から構成されている。
【００２８】
筆記部１２は、デジタルペン１１の筆跡を、通常の筆記具と同様に目視確認可能にするためのインキ・カートリッジである。
【００２９】
読み取り部１３は、実際には、１秒間に１００回程度、赤外線により微小点９を認識するデジタルカメラである。炭素入りインキで印刷した微小点９だけを認識し、その他の印刷（例えば、出題した問題文など）やデジタルペン１１のインキなどは認識しないものである。
【００３０】
プロセッサ１４は、読み取り部１３が映した微小点９の配列パターンを画像処理して、デジタルペン１１の正確な現在位置をリアルタイムで計算する。更に、読み取り部１３が撮影した各回の微小点９の配置パターン画像を比較し、デジタルペン１１の向きや動きなどを、ＳＶＧ（Ｓｃａｌａｂｌｅ  Ｖｅｃｔｏｒ  Ｇｒａｐｈｉｃｓ）形式などのベクトルデータとして取得できる。予め特定の領域を設定しておくことにより、当該領域におけるデジタルペン１１の軌跡から文字コードに変換することも可能である。
【００３１】
メモリ１５は、通信指示領域１０を介してデータ送信の指示があるまでの間、プロセッサ１４の処理により取得したデータを一時的に保持するものである。
【００３２】
無線通信手段１６は、例えば、ブルートゥース技術などの、パーソナルコンピュータ、周辺機器、デジタル家電などの間で、短距離の無線通信を行うものである。
【００３３】
本発明の問題用紙およびデジタルペンは、例えば、Ａｎｏｔｏ社が提案するＡｎｏｔｏペーパーとＡｎｏｔｏペン（どちらもＡｎｏｔｏ社の商標）により構成することができる。
【００３４】
解答手段４は、上述のデジタルペン１１と、第１の通信手段１７とを備え、受講者が第１の問題用紙２に記入した解答を、データ制御手段６へ伝送するものである。
【００３５】
添削手段５は、上述のデジタルペン１１と、解答印字手段１８と、第２の通信手段１９とを備え、添削者が第２の問題用紙３に記述した添削内容をデータ制御手段６へ伝送するものである。
【００３６】
第１の通信手段１７および第２の通信手段１９は、無線通信手段１６と通信可能であり、且つネットワーク８と接続して、２つの異なる通信手順が相互に通信可能なように仲介する装置であり、実際にはブルートゥースなどの無線通信技術を搭載した携帯電話、ＰＨＳ、パーソナルコンピュータ、アクセスポイントなどである。
【００３７】
解答印字手段１８は、実際にはプリンタなどを接続したパーソナルコンピュータなどであり、データ制御手段６から問題と解答データを受け取り、添削者の手元において問題と受講者の解答を第２の問題用紙３へ印字するものである。
【００３８】
データ制御手段６は、実際にはコンピュータシステムであり、ハードウェアの観点からみると、情報を記録するコンピュータ用の記録装置（磁気ディスク、光ディスクなど）、コンピュータに指示を与える入力装置（キーボード、マウスなど）、演算を行うＣＰＵ、結果を表示するＣＲＴなどの表示装置、結果を印字するプリンタ、解答手段４および添削手段５とネットワーク８を介して通信可能な通信インタフェースなどから構成されている。
【００３９】
データ制御手段６は、データベース２０を備え、機能、すなわちソフトウェアの観点からみると、認定手段２１と、受信手段２２と、解答通知手段２３と、添削結果データ生成手段２４と、添削結果通知手段２５とを備えており、受講者と添削者の間のデータの伝送の制御を行うものである。
【００４０】
データベース２０は、受講者および添削者を一意に識別可能なＩＤ、氏名、住所、受講科目や担当科目、電子メールアドレスなどの個人情報２６、受講者が送信した解答データ２７、添削者が記述した添削データ２８などを記録するものである。
【００４１】
認定手段２１は、通信添削システム１において使用される全ての第１の問題用紙２および第２の問題用紙３に印刷した微小点９を把握しているものであり、第１の通信手段１７および第２の通信手段１９から受信した特定の配列パターンの位置を判断して、実際に通信添削システム１の機能を提供するコンピュータシステムをデジタルペン１１に通知するものである。
【００４２】
受信手段２２は、ネットワーク８を介して、受講者から解答データ２７を、添削者から添削データ２８を受信し、データベース２０に記録するものである。
【００４３】
解答通知手段２３は、受講者から受信し記録した解答データ２７のデータベース２０上の所在を、例えばディレクトリとファイル名などを記述した電子メールにより、所定の添削者宛に通知するものである。
【００４４】
添削結果データ生成手段２４は、一つの問題用紙の上で解答と添削内容を同時に表示可能なように、受講者から受信し記録した解答データ２７と、添削者から受信し記録した添削データ２８の座標位置を合致させたＳＶＧ形式やＰＤＦ（Ｐｏｒｔａｂｌｅ  Ｄｏｃｕｍｅｎｔ  Ｆｏｒｍａｔ）形式などの添削結果データ２９を生成するものである。この時、例えば、添削データ２８の色を赤色にするなど、解答と添削内容を区別可能なように生成する。
【００４５】
添削結果通知手段２５は、生成した添削結果データ２９の所在を、例えばＵＲＬなどを記述した電子メールにより、当該の受講者宛に通知するものである。
【００４６】
添削結果表示手段７は、ネットワーク８を介して当該ＵＲＬに接続することにより、画面上に添削結果データ２９を解答と添削内容を区別可能な状態で同時に表示するものであり、実際には、ＷｅｂブラウザおよびＷｅｂブラウザに組み込まれたプラグインと呼ばれるＳＶＧ形式やＰＤＦ形式などのデータを表示可能にする補助プログラムである。
【００４７】
ネットワーク８は、実際にはインターネットであり、ＨＴＴＰ（ＨｙｐｅｒＴｅｘｔ  Ｔｒａｎｓｆｅｒ  Ｐｒｏｔｏｃｏｌ）プロトコルによるＷｅｂ、および電子メールを使用することができる。
【００４８】
図４は、本発明の通信添削システム１の動作を示す模式図である。
まず、微小点９と通信指示領域１０を備える第１の問題用紙２および第２の問題用紙３を用意する。
【００４９】
受講者に対しては、第１の問題用紙２に問題文を印刷し、配布する。
【００５０】
添削者に対しては、誰の解答に対する添削か明示するために添削者が受講者のＩＤなどを記入するＩＤ領域を設けた第２の問題用紙３を配布する。第２の問題用紙３は、後に解答印字手段１８により問題文および解答データ２７を印字するものとする。もちろん問題文を予め印刷しておくことも可能である。
【００５１】
受講者は、予め郵送された第１の問題用紙２に対して、デジタルペン１１を使用して受講者を識別する受講者ＩＤや、氏名、解答を記入する。
【００５２】
第１の問題用紙２に対して受講者が記入する際、読み取り部１３は、デジタルペン１１の軌跡に従い第１の印刷用紙２に予め印刷されている微小点９の配列パターンを、例えば１秒間に１００回程度読み取る。
【００５３】
プロセッサ１４は、読み取り手段１３が撮影した各回の配列パターンを比較することにより、デジタルペン１１が第１の印刷用紙２に記入した位置の始点と終点、線分の方向と長さなどを算出し、受講者ＩＤ、氏名、解答全てをベクトル化したＳＶＧ形式の解答データ２７をメモリ１５へ記録する。
【００５４】
受講生が自分で解答可能な全ての設問に解答を記入した後などに、デジタルペン１１により、第１の問題用紙２の通信指示領域１０をチェックすると、プロセッサ１４は、通信指示領域１０に印刷された微小点９の配列パターンにより、解答データ２７を認定手段２１へ送信する指示が出たことを理解する。
【００５５】
プロセッサ１４は、メモリ１５から解答データ２７を取り出し、無線通信手段１６に、解答データ２７の送信を依頼する。
【００５６】
無線通信手段１６は、自分と通信可能な周辺の機器を探し、第１の通信手段１７を見つけて接続し、解答データ２７を第１の通信手段１７に向けて送出する。
【００５７】
第１の通信手段１７は、無線通信手段１６から受信した解答データ２７を仲介し、ネットワーク８を介して、認定手段２１に対して送信する。
【００５８】
認定手段２１は、受信した解答データ２７に含まれる解答の記入位置の座標から、当該解答データ２７が、本発明の通信添削システム１の受講者に配布した第１の問題用紙２であることを認識し、受信手段２２の所在を、例えばＵＲＬなどの形式で、データの送信とは逆の手順を経て、受講者のデジタルペン１１に通知する。
【００５９】
認定手段２１により、本発明の通信添削システム１の受講者に配布した第１の問題用紙２であることが認識できない場合は、認定が不調であることを受講者のデジタルペン１１に返送する。
【００６０】
認定手段２１の通知により受信手段２２の所在を入手した受講者のデジタルペン１１は、認定手段２１へのデータ送信と同様な手順により、受信手段２２に対して解答データ２７を送信する。
【００６１】
受信手段２２は、解答手段４から解答データ２７を受信し、例えば受講者ＩＤをキー項目として、当該解答データ２７をデータベース２０へ記録する。
【００６２】
解答通知手段２３は、データベース２０に記録された解答データ２７のディレクトリやファイル名などの情報を、予め当該受講者の担当としてデータベース２０に記録されている所定の添削者に、例えば電子メールを使用して通知する。
【００６３】
添削者は、解答通知手段２３により通知された解答データ２７の所在にアクセスし、解答印字手段１８により、問題文および当該の解答データ２７を第２の問題用紙３へ印字する。
【００６４】
添削者は、ＩＤ領域に受講者ＩＤや添削者を識別する添削者ＩＤ、氏名などを記入した後、デジタルペン１１を用いて添削を行う。
【００６５】
第２の問題用紙３に対して添削者が添削する際、読み取り部１３は、デジタルペン１１の軌跡に従い第２の印刷用紙３に予め印刷されている微小点９の配列パターンを、例えば１秒間に１００回程度読み取る。
【００６６】
プロセッサ１４は、読み取り手段１３が撮影した各回の配列パターンを比較することにより、デジタルペン１１が第２の印刷用紙３に記入した位置の始点と終点、線分の方向と長さなどを算出し、受講者ＩＤおよび添削内容全てをベクトル化したＳＶＧ形式の添削データ２８をメモリ１５へ記録する。
【００６７】
添削者が全ての添削を終了した後に、デジタルペン１１により、第２の問題用紙３の通信指示領域１０をチェックすると、プロセッサ１４は、通信指示領域１０に印刷された微小点９の配列パターンにより、添削データ２８を認定手段２１へ送信する指示が出たことを理解する。
【００６８】
プロセッサ１４は、メモリ１５から添削データ２８を取り出し、無線通信手段１６に、添削データ２８の送信を依頼する。
【００６９】
無線通信手段１６は、自分と通信可能な周辺の機器を探し、第２の通信手段１９を見つけて接続し、添削データ２８を第２の通信手段１９に向けて送出する。
【００７０】
第２の通信手段１９は、無線通信手段１６から受信した添削データ２８を仲介し、ネットワーク８を介して、認定手段２１に対して送信する。
【００７１】
認定手段２１は、受信した添削データ２８に含まれる記入位置の座標から、当該添削データ２８が、本発明の通信添削システム１の添削者に配布した第２の問題用紙３であることを認識し、受信手段２２の所在を、例えばＵＲＬなどの形式で、データの送信とは逆の手順を経て添削者のデジタルペン１１に通知する。
【００７２】
認定手段２１により、本発明の通信添削システム１の添削者に配布した第２の問題用紙３であることが認識できない場合は、認定が不調であることを添削者のデジタルペン１１に返送する。
【００７３】
認定手段２１の通知により受信手段２２の所在を入手した添削者のデジタルペン１１は、認定手段２１へのデータ送信と同様な手順により、受信手段２２に対して添削データ２８を送信する。
【００７４】
受信手段２２は、添削手段５から添削データ２８を受信し、当該添削データ２８をデータベース２０へ記録する。この時、添削データ２８に含まれている受講者ＩＤを使用して、解答データ２７と添削データ２８を関係付けて記録する。
【００７５】
添削結果データ生成手段２４は、データベース２０から受講者ＩＤ毎に解答データ２７および添削データ２８を取り出し、両データの座標位置を一致させ、更に、添削データ２８の線分の色を赤色などに設定することにより、解答に対する添削が行われた添削結果データ２９を生成する。
【００７６】
添削結果通知手段２５は、添削結果データ２９の所在を示すＵＲＬなどを、当該の受講者に対して、例えば電子メールを使用して通知する。
【００７７】
受講者は、添削結果表示手段７を用いて、添削結果通知手段２５により通知された添削結果データ２９の所在を示すＵＲＬなどに接続し、自分の解答と添削者の添削が合成された添削結果データ２９を見ることができる。この時、解答と添削は異なる色などで設定されており、解答と添削が識別可能である。
【００７８】
以上、本発明を実施の形態に基づいて詳細に説明してきたが、本発明による通信添削システムは、上述の実施の形態に何ら限定されるものではなく、本発明の趣旨を逸脱しない範囲において種々の変更が可能なことは当然のことである。
【００７９】
【発明の効果】
以上のとおり、本発明に係る通信添削システムによれば、予め問題用紙を配布する時以外は、郵送を用いることなく、ネットワークを介して、所定の人がデータの所在を知り、アクセスすることができ、解答から結果を返却するまでの時間を短縮し、郵送のコストを削減することができる。
【００８０】
また、微小点を印刷した問題用紙と、問題用紙の微小点を撮影することで記入した内容をデータにすることができるデジタルペンを用いることにより、受講者および添削者は、従来の通信添削と同様に記入するだけで、記入内容のデジタルデータを得ることが可能になり、解答や添削時の思考を妨げることなく、特別なデータ入力を行うことなく、本発明の通信添削システムを利用することが可能になる。
【図面の簡単な説明】
【図１】  本発明の一実施の形態を示すシステム構成図である。
【図２】  本発明の問題用紙の拡大図である。
【図３】  本発明のデジタルペンの構造図である。
【図４】  本発明の通信添削システムの動作の模式図である。
【符号の説明】
１  通信添削システム
２  第１の問題用紙
３  第２の問題用紙
４  解答手段
５  添削手段
６  データ制御手段
７  添削結果表示手段
８  ネットワーク
９  微小点
１０  通信指示領域
１１  デジタルペン
１２  筆記部
１３  読み取り部
１４  プロセッサ
１５  メモリ
１６  無線通信手段
１７  第１の通信手段
１８  解答印字手段
１９  第２の通信手段
２０  データベース
２１  認定手段
２２  受信手段
２３  解答通知手段
２４  添削結果データ生成手段
２５  添削結果通知手段
２６  個人情報
２７  解答データ
２８  添削データ
２９  添削結果データ
【図１】
0003923851.tif 000002
【図２】
0003923851.tif 000003
【図３】
0003923851.tif 000004
【図４】
0003923851.tif 000005